(57)【要約】【課題】  ユーザ所望の情報を自動的に収集してユーザが必要とする時期に提供する端末装置を実現する。【解決手段】  旅行に行く月日をスケジュール登録し、旅行先をキーワードに設定する。受信チャンネルを巡回してキーワードが含まれる文字データ放送を検索し、キーワードを含む文字データ放送を受信した時に、その文字データ放送を受信したチャンネルで放映される番組を録画する。こうした動作を、旅行に行く月日まで繰り返す。そうして端末自らが自動的に収集した情報（録画番組）を、例えば旅行当日に再生すれば、ユーザ所望の情報を自動的に収集してユーザが必要とする時期に提供できるようになる。【選択図】  図１
2006033574.tif 000002
【特許請求の範囲】
【請求項１】
指定月日の予定を登録する登録手段と、
前記登録手段により登録された予定を表す語句をキーワードに設定するキーワード設定手段と、
文字データ放送を含む番組の放送を受信する放送受信手段と、
前記放送受信手段の受信チャンネルを巡回させ、それに応じて当該放送受信手段が受信する文字データ放送に、前記キーワード設定手段にて設定されたキーワードが含まれるか否かを検索する動作を、前記登録手段により登録された予定の指定月日まで繰り返す検索手段と、
前記検索手段がキーワードを含む文字データ放送を検索した場合に、その文字データ放送を受信した受信チャンネルで放送される番組を記録する番組記録手段と
を具備することを特徴とする端末装置。
【請求項２】
指定月日の予定を登録する登録手段と、
前記登録手段により登録された予定を表す語句をキーワードに設定するキーワード設定手段と、
文字データ放送を含む番組の放送を受信する放送受信手段と、
前記放送受信手段の受信チャンネルを巡回させ、それに応じて当該放送受信手段が受信する文字データ放送に、前記キーワード設定手段にて設定されたキーワードが含まれるか否かを検索する動作を、前記登録手段により登録された予定の指定月日まで繰り返す検索手段と、
前記検索手段がキーワードを含む文字データ放送を検索した場合に、その文字データ放送を受信した受信チャンネルで放送される番組に前記指定月日を付加して媒体記録する番組記録手段と、
前記登録手段により登録された予定の指定月日が過ぎた場合に、その指定月日が付与された番組を記録媒体から消去する消去手段と
を具備することを特徴とする端末装置。
【請求項３】
指定月日の予定を登録する登録処理と、
前記登録処理にて登録された予定を表す語句をキーワードに設定するキーワード設定処理と、
文字データ放送を含む番組の放送を受信する放送受信処理と、
前記放送受信処理にて受信する受信チャンネルを巡回させ、それに応じて当該放送受信処理が受信する文字データ放送に、前記キーワード設定処理にて設定されたキーワードが含まれるか否かを検索する動作を、前記登録処理にて登録された予定の指定月日まで繰り返す検索処理と、
前記検索処理によりキーワードを含む文字データ放送が検索された場合に、その文字データ放送を受信した受信チャンネルで放送される番組を記録する番組記録処理と
をコンピュータで実行させることを特徴とする端末処理プログラム。
【請求項４】
指定月日の予定を登録する登録処理と、
前記登録処理にて登録された予定を表す語句をキーワードに設定するキーワード設定処理と、
文字データ放送を含む番組の放送を受信する放送受信処理と、
前記放送受信処理にて受信する受信チャンネルを巡回させ、それに応じて当該放送受信処理が受信する文字データ放送に、前記キーワード設定処理にて設定されたキーワードが含まれるか否かを検索する動作を、前記登録処理にて登録された予定の指定月日まで繰り返す検索処理と、
前記検索処理によりキーワードを含む文字データ放送が検索された場合に、その文字データ放送を受信した受信チャンネルで放送される番組に前記指定月日を付加して媒体記録する番組記録処理と、
前記登録処理にて登録された予定の指定月日が過ぎた場合に、その指定月日が付与された番組を記録媒体から消去する消去処理と
をコンピュータで実行させることを特徴とする端末処理プログラム。
【発明の詳細な説明】
【技術分野】
【０００１】
本発明は、ユーザ所望の情報を自動的に収集可能な端末装置および端末処理プログラムに関する。
【背景技術】
【０００２】
インターネットを介してウェブサイトに接続して情報検索したり、あるいは特許文献１に開示されるように、通信網側へ位置登録する情報をネットワークを介して旅行サーバに通知し、この旅行サーバに通知した位置登録情報が旅先到着を表す場合に、旅行サーバがネットワークを介して旅行先で必要な情報を送出し、これを受信して旅行支援する端末装置が知られている。
【０００３】
【特許文献１】特開２００３−５０８４６号公報
【発明の開示】
【発明が解決しようとする課題】
【０００４】
ところで、特許文献１に開示の端末装置は、装置自身から通知した情報に対応してサーバ側が送出する情報を受信して表示するだけなので、端末装置自らがユーザ所望の情報を収集してユーザが必要とする時期に提供することができない、という問題がある。
そこで本発明は、このような事情に鑑みてなされたもので、ユーザ所望の情報を自動的に収集してユーザが必要とする時期に提供することができる端末装置および端末処理プログラムを提供することを目的としている。
【課題を解決するための手段】
【０００５】
上記目的を達成するため、請求項１に記載の発明では、指定月日の予定を登録する登録手段と、前記登録手段により登録された予定を表す語句をキーワードに設定するキーワード設定手段と、文字データ放送を含む番組の放送を受信する放送受信手段と、前記放送受信手段の受信チャンネルを巡回させ、それに応じて当該放送受信手段が受信する文字データ放送に、前記キーワード設定手段にて設定されたキーワードが含まれるか否かを検索する動作を、前記登録手段により登録された予定の指定月日まで繰り返す検索手段と、前記検索手段がキーワードを含む文字データ放送を検索した場合に、その文字データ放送を受信した受信チャンネルで放送される番組を記録する番組記録手段とを具備することを特徴とする。
【０００６】
請求項２に記載の発明では、指定月日の予定を登録する登録手段と、前記登録手段により登録された予定を表す語句をキーワードに設定するキーワード設定手段と、文字データ放送を含む番組の放送を受信する放送受信手段と、前記放送受信手段の受信チャンネルを巡回させ、それに応じて当該放送受信手段が受信する文字データ放送に、前記キーワード設定手段にて設定されたキーワードが含まれるか否かを検索する動作を、前記登録手段により登録された予定の指定月日まで繰り返す検索手段と、前記検索手段がキーワードを含む文字データ放送を検索した場合に、その文字データ放送を受信した受信チャンネルで放送される番組に前記指定月日を付加して媒体記録する番組記録手段と、前記登録手段により登録された予定の指定月日が過ぎた場合に、その指定月日が付与された番組を記録媒体から消去する消去手段とを具備することを特徴とする。
【０００７】
請求項３に記載の発明では、指定月日の予定を登録する登録処理と、前記登録処理にて登録された予定を表す語句をキーワードに設定するキーワード設定処理と、文字データ放送を含む番組の放送を受信する放送受信処理と、前記放送受信処理にて受信する受信チャンネルを巡回させ、それに応じて当該放送受信処理が受信する文字データ放送に、前記キーワード設定処理にて設定されたキーワードが含まれるか否かを検索する動作を、前記登録処理にて登録された予定の指定月日まで繰り返す検索処理と、前記検索処理によりキーワードを含む文字データ放送が検索された場合に、その文字データ放送を受信した受信チャンネルで放送される番組を記録する番組記録処理とをコンピュータで実行させることを特徴とする。
【０００８】
請求項４に記載の発明では、指定月日の予定を登録する登録処理と、前記登録処理にて登録された予定を表す語句をキーワードに設定するキーワード設定処理と、文字データ放送を含む番組の放送を受信する放送受信処理と、前記放送受信処理にて受信する受信チャンネルを巡回させ、それに応じて当該放送受信処理が受信する文字データ放送に、前記キーワード設定処理にて設定されたキーワードが含まれるか否かを検索する動作を、前記登録処理にて登録された予定の指定月日まで繰り返す検索処理と、前記検索処理によりキーワードを含む文字データ放送が検索された場合に、その文字データ放送を受信した受信チャンネルで放送される番組に前記指定月日を付加して媒体記録する番組記録処理と、前記登録処理にて登録された予定の指定月日が過ぎた場合に、その指定月日が付与された番組を記録媒体から消去する消去処理とをコンピュータで実行させることを特徴とする。
【発明の効果】
【０００９】
請求項１、３に記載の発明によれば、指定月日の予定を登録すると共に、その登録された予定を表す語句をキーワードに設定すると、文字データ放送を含む番組の放送を受信する受信チャンネルを巡回させ、それに応じて受信する文字データ放送にキーワードが含まれるか否かを検索する動作を指定月日まで繰り返し、この繰り返し検索によってキーワードを含む文字データ放送が検索されると、その文字データ放送を受信した受信チャンネルで放送される番組を記録する。したがって、記録された番組を再生すれば、ユーザ所望の情報を自動的に収集してユーザが必要とする時期に提供することができる。
【００１０】
請求項２、４に記載の発明によれば、指定月日の予定を登録すると共に、その登録された予定を表す語句をキーワードに設定すると、文字データ放送を含む番組の放送を受信する受信チャンネルを巡回させ、それに応じて受信する文字データ放送にキーワードが含まれるか否かを検索する動作を指定月日まで繰り返し、この繰り返し検索によってキーワードを含む文字データ放送が検索されると、その文字データ放送を受信した受信チャンネルで放送される番組に指定月日を付加して媒体記録する為、記録された番組を再生すれば、ユーザ所望の情報を自動的に収集してユーザが必要とする時期に提供することができる。また、登録された予定の指定月日が過ぎると、その指定月日が付与された番組を記録媒体から消去するので、不要になった情報を自動的に破棄することもできる。
【発明を実施するための最良の形態】
【００１１】
以下、図面を参照して本発明の実施の形態について説明する。
Ａ．発明の概要
本発明による端末装置は、ＰＩＭ（Personal Information Manager）機能、文字データ放送を含むテレビ放送を受信する放送受信機能およびその放送受信機能にて受信した番組を録画再生する録画再生機能を備える。ＰＩＭ機能とは、例えば住所録やスケジューラ、ＴｏＤｏ（備忘録）等の各種ツールを連携させて個人データを管理するソフトウェア機能として知られている。
【００１２】
本発明による端末装置では、ＰＩＭ機能にて、ユーザがある期日に行う行動の内容をスケジュール登録すると共に、その行動の内容を表す語句をキーワードに設定する。放送受信機能を用い、受信チャンネルを巡回してキーワードが含まれる文字データ放送を検索し、キーワードを含む文字データ放送を受信した場合に、その文字データ放送を受信したチャンネルで放映される番組の映像・音声データを録画再生機能にて録画する動作を、スケジュール登録した期日まで行う。そして、例えばスケジュール登録した期日にユーザが再生指示することで、録画再生機能にて録画した番組を再生する。これにより、端末装置自らがユーザ所望の情報を収集してユーザに提供することが可能になる。
【００１３】
以下では、その具体的な一例として、旅行に行く月日をスケジュール登録し、旅行先をキーワードに設定した場合に、受信チャンネルを巡回してキーワードが含まれる文字データ放送を検索し、キーワードを含む文字データ放送を受信した時に、その文字データ放送を受信したチャンネルで放映される番組を録画し、それを例えば旅行当日に再生することによって、ユーザ所望の情報を自動的に収集してユーザに提供する形態について述べる。
【００１４】
Ｂ．構成
図１は、そうした実施の一形態を具現する端末装置１０の構成を示すブロック図である。端末装置１０は通信網側と無線接続して音声通話やデータ通信する携帯電話部と文字データ放送を含むテレビ放送を受信するＴＶ部とに大別される。以下、携帯電話部およびＴＶ部の構成について説明する。
【００１５】
（１）携帯電話部の構成  
携帯電話部は、無線通信部１０１、端末制御部１０２、操作部１０３、表示部１０４、ＲＯＭ１０５、ＲＡＭ１０６、スピーカ１０７およびマイク１０８から構成される。無線通信部１０１は、アンテナＡＮＴ１を介して受信した無線信号を復調して得る音声データを端末制御部１０２に出力する一方、端末制御部１０２から供給される音声データを変調して得た送信信号を高周波増幅してアンテナＡＮＴ１から送信する。端末制御部１０２は、ＣＰＵおよびベースバンド信号処理用のＤＳＰ等から構成され、後述する操作部１０３のスイッチ操作に応じて、携帯電話部およびＴＶ部の動作を制御する。
【００１６】
具体的には、端末制御部１０２では、音声信号処理および通信制御処理を実行する。音声信号処理は、無線通信部１０１が発生する通話中の音声データを音声信号にＤ／Ａ変換してスピーカ１０７から発音させたり、マイク１０８から出力される音声信号を音声データにＡ／Ｄ変換して無線通信部１０１に供給する。通信制御処理の内容については、後述するメインルーチンの動作説明で述べる。さらに、端末制御部１０２では、周知のＰＩＭ機能を有し、スケジュール管理などを行うようになっており、これについても後述するメインルーチンの動作説明で述べる。
【００１７】
操作部１０３は、パワーオンオフする電源スイッチ、通話開始／終了時に操作されるオフフック／オンフックスイッチ、ダイヤルスイッチと兼用の文字入力スイッチの他、カーソルスイッチ、編集スイッチ、登録スイッチ、決定スイッチ、クリアスイッチ、キーワードスイッチ、チャンネルスイッチ等を備え、操作されるスイッチ種に対応したスイッチイベントを発生する。表示部１０４は、カラー液晶パネルおよび表示ドライバから構成され、端末制御部１０２の制御の下に待受画面など各種画面を表示したり、後述するＴＶ制御部部２０２から供給される映像データを表示する。ＲＯＭ１０５は、プログラムエリアおよびデータエリアを備える。ＲＯＭ１０５のプログラムエリアには、端末制御部１０２が実行する各種プログラム（後述のメインルーチンを含む）が記憶される。ＲＯＭ１０５のデータエリアには、所定のプログラムにより参照される制御データの他、後述の各種画面（待受画面、番号入力画面、カレンダ画面および編集画面）を形成する画面データが記憶される。
【００１８】
ＲＡＭ１０６は、端末制御部１０２が実行する各種処理に使われるフラグやレジスタデータを一時記憶するワークエリアの他、着信履歴や発信履歴などを記憶する加入者情報エリア、住所録やスケジュールデータ、情報収集を指示するデータとして扱われる録画用データ（後述する）等が登録される個人データエリアおよび待受画面などの各種表示画面を形成する表示エリア等を備える。スピーカ１０７は、通話時に端末制御部１０２から供給される音声信号や、ＴＶ制御部２０２側から端末制御部１０２を介して供給される音声信号を放音する。マイク１０８は、通話音声信号を発生して端末制御部１０２に出力する。
【００１９】
（２）ＴＶ部の構成
ＴＶ部は、チューナ２０１ａ、復調部２０１ｂおよび復号部２０１ｃからなるＴＶ受信部２０１と、ＴＶ受信部２０１の動作を制御するＴＶ制御部２０２と、ＴＶ制御部２０２の指示に従ってＴＶ受信部２０１が出力する映像・音声データを録画する録画メモリ２０３とから構成される。ＴＶ部は、電源スイッチにてパワーオンオフされるが、パワーオン時にはＴＶスイッチのオンオフ操作によらず常時オン状態を保つようになっている。
【００２０】
ＴＶ受信部２０１は、アンテナＡＮＴ２を介して受信するチャンネルの放送信号をＯＦＤＭ復調し、これより得られるトランスポートストリーム信号から番組パケットを分離抽出し、抽出した番組パケットをＴＶ制御部２０２の指示に従って映像／音声データあるいは文字データに復号して出力する。
ＴＶスイッチがオン設定されている場合、ＴＶ制御部２０２ではチャンネルスイッチ操作で選局される放送局の番組を受信するようＴＶ受信部２０１に指示する。一方、ＴＶスイッチがオフ設定されていると、ＴＶ制御部２０２ではキーワードに一致する文字データを含むデータ放送を受信するまでＴＶ受信部２０１の受信チャンネルを巡回させてキーワードを含む文字データ放送を検索し、該当する文字データ放送を受信した場合に、その文字データ放送を受信したチャンネルでＴＶ受信部２０１が受信復調する映像／音声データを番組終了時点まで録画メモリ２０３に録画する。
【００２１】
Ｃ．動作
次に、本発明の要旨に係わる動作として、端末制御部１０２が実行するメインルーチンと、ＴＶ制御部２０２が実行するＴＶ制御処理およびタイマインタラプト処理の各動作について図２〜図１２を参照して説明する。
【００２２】
（１）メインルーチンの動作  
端末装置１０の電源スイッチが操作されてパワーオンされると、端末制御部１０２は図２〜図７に図示するメインルーチンを実行する。メインルーチンが実行されると、図２に図示するステップＳＡ１に進み、装置各部を初期化するイニシャライズを実行する。次いで、ステップＳＡ２では、ＲＯＭ１０５から読み出した待受画面データをＲＡＭ１０６の表示エリアにストアし、ストアされた待受画面データに基づき待受画面を表示部１０４に表示する。次に、ステップＳＡ３以降では、操作部１０３に配設されるオフフックスイッチ、オンフックスイッチ、スケジュールスイッチ、ＴＶスイッチおよび再生スイッチの各オン操作に対応した処理を実行する。以下、各スイッチ操作に対応した処理動作を説明する。
【００２３】
ａ．オフフックスイッチがオン操作された場合  
ユーザが通話を開始すべくオフフックスイッチをオン操作したとする。そうすると、ステップＳＡ３の判断結果は「ＹＥＳ」となり、ステップＳＡ４に進む。ステップＳＡ４〜ＳＡ５では、表示部１０４に表示される画面を待受画面から番号入力画面に変更し、ダイヤルスイッチの操作に応じて入力された電話番号を番号入力画面に表示しつつレジスタセットする番号入力処理を実行する。続いて、ステップＳＡ６〜ＳＡ７では、レジスタセットされた電話番号に基づき発信および呼出報知を実行する。呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００２４】
ｂ．オンフックスイッチがオン操作された場合
上記ステップＳＡ９の通話処理中にユーザがオンフックスイッチをオン操作したとする。そうすると、ステップＳＡ１０の判断結果が「ＹＥＳ」となり、ステップＳＡ１１に進み、回線を切る終話処理を実行した後、上述のステップＳＡ２に処理を戻して待受画面表示状態に復帰する。
【００２５】
ｃ．スケジュールスイッチがオン操作された場合
前述したように、「旅行に行く月日をスケジュール登録し、旅行先をキーワードに設定する」には、先ずスケジュールスイッチをオン操作する。すると、図３に示すステップＳＡ１２の判断結果が「ＹＥＳ」になり、ステップＳＡ１３に進む。ステップＳＡ１３〜ＳＡ１４では、ＰＩＭ機能により管理されるカレンダ情報から現在月日を取得し、それに基づきカレンダ画面ＣＧを形成して表示部１０４に表示する。
【００２６】
ここで、図８に図示する一例を参照してカレンダ画面ＣＧの構成を説明する。カレンダ画面ＣＧは、状態表示領域Ａ１、カレンダ表示領域Ａ２、スケジュール表示領域Ａ３および操作ガイド表示領域Ａ４から構成される。状態表示領域Ａ１には電波状態や電池残量などが状態表示される。カレンダ表示領域Ａ２には、上記ステップＳＡ１３にて取得した現在月日を含むカレンダが表示される。スケジュール表示領域Ａ３は、カレンダ表示領域Ａ２に表示されるカレンダ中でフォーカスされた日付にスケジュールデータが設定されている場合に、そのスケジュールデータの内容を表示する領域である。操作ガイド表示領域Ａ４には、機能対応キーが案内表示される。この図に示す一例の場合、「クリア」および「編集」と表示されている箇所に対応して配設される機能キースイッチがクリアスイッチ、編集スイッチにそれぞれ相当することを案内表示している。
【００２７】
このようなカレンダ画面ＣＧが表示部１０４に表示されると、端末制御部１０２は、ステップＳＡ１５に処理を進め、上記カレンダ表示領域Ａ２に表示したカレンダ中に、現在の日付に対応する日付表示をフォーカスする。なお、フォーカスとは、例えば表示色を異ならせて選択状態を表示する処理を指す。図８に図示する一例の場合、「７日」の日付表示がフォーカスされた状態を表している。
そして、ステップＳＡ１６では、ＰＩＭ機能によって現在日付にスケジュールデータが設定されているかどうかを判断する。スケジュールデータが設定されていれば、判断結果は「ＹＥＳ」になり、ステップＳＡ１７に進み、現在日付に設定されたスケジュールデータの内容をカレンダ画面ＣＧ中のスケジュール表示領域Ａ３に表示してステップＳＡ１８に処理を進める。一方、スケジュールデータが設定されていなければ、上記ステップＳＡ１６の判断結果は「ＮＯ」になり、ステップＳＡ１８に進む。
【００２８】
続いて、ステップＳＡ１８〜ＳＡ３２では、ユーザが指定する月日にスケジュールデータを入力して登録する処理を実行する。ユーザが所望の月日を指定するべくカーソルスイッチをオン操作すると、ステップＳＡ１８の判断結果が「ＹＥＳ」になり、ステップＳＡ１９に進み、フォーカス位置を移動させる。次いで、ステップＳＡ２０では、カーソルスイッチ操作に応じて移動したフォーカス位置の日付が月越えしたかどうかを判断する。月越えすると、判断結果は「ＹＥＳ」となり、ステップＳＡ２１に進み、カレンダ画面ＣＧのカレンダ表示領域Ａ２に表示されるカレンダを表示更新してから図４に示すステップＳＡ２２に処理を進める。これに対し、月越えしなければ、上記ステップＳＡ２０の判断結果が「ＮＯ」になり、図４に示すステップＳＡ２２に進む。
【００２９】
ステップＳＡ２２〜ＳＡ２３では、カレンダ画面ＣＧの操作ガイド表示領域Ａ３で案内表示される「クリアスイッチ」および「編集スイッチ」のオン操作の有無を判断する。いずれもオン操作されない場合には、ステップＳＡ２２，ＳＡ２３の各判断結果がいずれも「ＮＯ」になり、図３に図示するステップＳＡ１６に処理を戻す。
スケジュールデータ入力を取り止めるべくクリアスイッチがオン操作された場合には、ステップＳＡ２３の判断結果が「ＹＥＳ」になり、図２に図示するステップＳＡ２に処理を戻して待受画面表示状態に復帰する。
これに対し、上述のカーソルスイッチ操作によってユーザ指定の月日がフォーカスされた状態で、その月日のスケジュールデータを入力すべく編集スイッチがオン操作された場合には、ステップＳＡ２２の判断結果が「ＹＥＳ」になり、ステップＳＡ２４に処理を進め、編集画面ＥＧを表示部１０４に表示する。
【００３０】
ここで、図９に図示する一例を参照して編集画面ＥＧの構成を説明する。編集画面ＥＧは、状態表示領域Ａ１、文字入力表示領域Ａ２および操作ガイド表示領域Ａ３から構成される。状態表示領域Ａ１には電波状態や電池残量などが状態表示される。文字入力表示領域Ａ２は、スケジュールデータとして入力される文字データを表示するエリアであり、文字入力の都度移動する文字入力カーソルが表示される。操作ガイド表示領域Ａ３には、機能対応キーが案内表示される。この図に示す一例の場合、「クリア」、「キーワード」および「登録」と表示されている箇所にそれぞれ対応して配設される機能キースイッチがクリアスイッチ、キーワードスイッチおよび登録スイッチに相当することを案内表示している。
【００３１】
さて、こうした編集画面ＥＧが表示部１０４に表示されると、ステップＳＡ２５に進み、編集画面ＥＧの文字入力表示領域Ａ２に文字入力カーソルを表示する。次いで、ステップＳＡ２６〜ＳＡ２８では、文字入力表示領域Ａ２での文字入力に応じて、文字入力カーソル位置に入力文字を表示しながら、文字入力カーソルを移動させる。そして、ステップＳＡ２９〜ＳＡ３１（図５参照）では、編集画面ＥＧの操作ガイド表示領域Ａ３で案内表示される「クリアスイッチ」、「キーワードスイッチ」および「登録スイッチ」のオン操作に応じた処理を実行する。
【００３２】
クリアスイッチがオン操作された場合には、ステップＳＡ３０の判断結果が「ＹＥＳ」になり、図３に図示するステップＳＡ１３に処理を戻してカレンダ画面表示状態に戻る。
登録スイッチがオン操作された場合には、ステップＳＡ２９の判断結果が「ＹＥＳ」になり、ステップＳＡ３２に進み、上述のカーソルスイッチ操作によってフォーカスされた月日に対応させた月日エリアに、入力された文字データをスケジュールデータとして登録する。なお、ここで言う月日エリアとは、ＲＡＭ１０６の個人データエリア中に設けられるデータ格納領域である。
【００３３】
以上のようにして、「旅行に行く月日をスケジュール登録」し終えた後、例えば、図１０（ａ）に図示するように、編集画面ＥＧの文字入力表示領域Ａ２に「沖縄旅行」という文字データ（スケジュールデータ）を入力した状態において、「旅行先をキーワードに設定する」には、キーワードスイッチをオン操作する。すると、図５に図示するステップＳＡ３１の判断結果が「ＹＥＳ」となり、ステップＳＡ３３に進み、入力データの有無、つまりユーザ指定の月日にスケジュールデータが登録されているかどうかを判断する。
【００３４】
この一例の場合、「沖縄旅行」という文字データ（スケジュールデータ）が入力されているので、上記ステップＳＡ３３の判断結果は「ＹＥＳ」となり、次のステップＳＡ３４に進む。
一方、キーワードスイッチがオン操作されない場合、あるいはキーワードスイッチがオン操作されても、文字データ（スケジュールデータ）が未入力の場合には、上記ステップＳＡ３１，ＳＡ３３のいずれかの判断結果が「ＮＯ」になり、図４に図示するステップＳＡ２６に戻り、編集画面表示状態に復帰させる。
【００３５】
文字データ（スケジュールデータ）が入力済みの状態でキーワードスイッチがオン操作されると、ステップＳＡ３４〜ＳＡ４４からなるキーワード設定処理を実行する。キーワード設定処理では、編集画面ＥＧの文字入力表示領域Ａ２に入力した文字データ（スケジュールデータ）中から「キーワード」に設定する文字列（語句）を指定する。
先ずステップＳＡ３４では、編集画面ＥＧの文字入力表示領域Ａ２に入力された文字データ（スケジュールデータ）の先頭を選択する。例えば、図１０（ａ）に図示する一例の場合、先頭の「沖」が反転表示される。次いで、ステップＳＡ３５〜ＳＡ３８では、クリアスイッチ、カーソルスイッチおよびＯＫスイッチのオン操作に応じた処理を実行する。
【００３６】
すなわち、キーワード設定を中止すべくクリアスイッチをオン操作した場合には、ステップＳＡ３８の判断結果が「ＹＥＳ」になり、前述のステップＳＡ２６（図４参照）に処理を戻し、スケジュールデータ入力状態に復帰させる。
一方、編集画面ＥＧの文字入力表示領域Ａ２に入力された文字データ（スケジュールデータ）中の所望の文字を選択すべくカーソルスイッチをオン操作すると、ステップＳＡ３５の判断結果が「ＹＥＳ」になり、ステップＳＡ３６に進み、反転表示位置を移動させる。そして、キーワードに設定しようとする文字列（語句）の先頭が反転表示された状態でＯＫスイッチをオン操作すると、その反転表示された文字がキーワードの先頭文字に指定され、ステップＳＡ３７の判断結果が「ＹＥＳ」になり、ステップＳＡ３９に進む。
【００３７】
続いて、ステップＳＡ３９〜ＳＡ４２では、上記ステップＳＡ３５〜ＳＡ３８と同様、クリアスイッチ、カーソルスイッチおよびＯＫスイッチのオン操作に応じた処理を実行する。
すなわち、キーワードに設定する文字列を選択し直すべくクリアスイッチをオン操作した場合には、ステップＳＡ４２の判断結果が「ＹＥＳ」になり、前述のステップＳＡ３４に処理を戻し、文字データ（スケジュールデータ）の先頭が反転表示された状態に復帰させる。
【００３８】
一方、文字データ（スケジュールデータ）中からキーワードに設定する文字列の後端を選択させるべくカーソルスイッチをオン操作すると、ステップＳＡ３９の判断結果が「ＹＥＳ」になり、ステップＳＡ４０に進み、先に指定したキーワードの先頭文字に隣接する文字も反転表示させる。そして、キーワードに設定しようとする文字列（語句）が全て反転表示された状態で登録スイッチをオン操作すると、その反転表示された文字列がキーワードに設定され、ステップＳＡ４１の判断結果が「ＹＥＳ」になり、ステップＳＡ４３に進む。これにより、例えば図１０（ａ）に図示した文字データ（スケジュールデータ）「沖縄旅行」の内、同図（ｂ）に示すように、「沖」および「縄」の２文字を反転表示させて登録スイッチをオン操作すると、「沖縄」がキーワードに設定される。
【００３９】
次いで、ステップＳＡ４３では、文字データ（スケジュールデータ）が入力された「スケジュール入力月日」と、その文字データ（スケジュールデータ）中で反転表示された文字列の「キーワード」とからなる録画用データをＲＡＭ１０６の個人データエリアに登録する。後述するように、この録画用データは、情報収集を指示するデータとして扱われる。そして、ステップＳＡ４４では、反転表示を通常表示に戻してから前述のステップＳＡ２６（図４参照）に戻り、編集画面表示状態に復帰させる。
【００４０】
ｄ．ＴＶスイッチがオン操作された場合
ユーザがＴＶスイッチスイッチをオン操作すると、図６に示すステップＳＡ４５の判断結果が「ＹＥＳ」になり、ステップＳＡ４６に進む。ステップＳＡ４６では、レジスタＣＨに格納されるチャンネル番号（以下、チャンネル番号ＣＨと記す）をＴＶ制御部２０２に送出する。これにより、ＴＶ部では、後述するように、チャンネル番号ＣＨに応じて選局受信した得た番組の映像・音声データを端末制御部１０２に送出する。そして、端末制御部１０２では、ステップＳＡ４７において、ＴＶ部から送出される映像・音声データを受領して表示部１０４にて映像表示すると共に、スピーカ１０７にて音声再生する。
【００４１】
続いて、ステップＳＡ４８では、チャンネル変更の有無を判断する。チャンネル変更された場合には、判断結果が「ＹＥＳ」になり、ステップＳＡ４９に進み、変更されたチャンネル番号ＣＨをＴＶ制御部２０２に送出した後、ステップＳＡ４７に処理を戻す。これにより、変更されたチャンネルの映像・音声データを再生する。
チャンネル変更されない場合には、上記ステップＳＡ４８の判断結果が「ＮＯ」になり、ステップＳＡ５０に進み、ＴＶスイッチがオフ操作されたかどうかを判断する。オフ操作されていなければ、判断結果は「ＮＯ」になり、上記ステップＳＡ４７に処理を戻すが、オフ操作されると、判断結果が「ＹＥＳ」になり、前述のステップＳＡ２（図２参照）に処理を戻して待受画面表示状態に復帰する。
【００４２】
ｅ．再生スイッチがオン操作された場合
ユーザが再生スイッチをオン操作すると、図７に示すステップＳＡ５１の判断結果が「ＹＥＳ」になり、ステップＳＡ５２に進む。ステップＳＡ５２では、メモリ再生可能であるか否か、すなわち、後述するようにＴＶ制御部２０２が録画メモリ２０３に映像・音声データをストア（録画）しているかどうかを判断する。録画中であると、判断結果は「ＮＯ」になり、前述したステップＳＡ２（図２参照）に処理を戻して待受画面表示状態に復帰させる。
【００４３】
これに対し、録画中でなければ、判断結果が「ＹＥＳ」になり、次のステップＳＡ５３に進む。ステップＳＡ５３では、録画メモリ２０３に録画データがストアされているか否かを判断する。録画データが無いと、判断結果は「ＮＯ」になり、前述したステップＳＡ２（図２参照）に処理を戻して待受画面表示状態に復帰させる。一方、録画データがストアされていれば、判断結果が「ＹＥＳ」になり、次のステップＳＡ５４に進む。
【００４４】
ステップＳＡ５４では、ＲＯＭ１０５から読み出した録画リスト画面データと、録画メモリ２０３から収録属性（後述する）に含まれるタイトル（番組名）とに基づいて録画メモリ２０３にストアされた録画番組のタイトルを一覧表示する録画リスト画面（不図示）を形成して表示部１０３に表示する。録画リスト画面が表示されると、ステップＳＡ５５に進み、録画リスト画面に一覧表示されるタイトルの内、例えば画面の最上位行に位置するタイトルにフォーカスさせる。そして、ステップＳＡ５６〜ＳＡ５９では、クリアスイッチ、カーソルスイッチおよびスタートスイッチのオン操作に応じた処理を実行する。
【００４５】
すなわち、録画番組の再生を取り止めるべくクリアスイッチをオン操作した場合には、ステップＳＡ５９の判断結果が「ＹＥＳ」になり、前述のステップＳＡ２（図２参照）に処理を戻して待受画面表示状態に復帰する。一方、録画リスト画面に一覧表示されるタイトルの内から所望のタイトルをフォーカスさせるべくカーソルスイッチをオン操作すると、ステップＳＡ５６の判断結果が「ＹＥＳ」になり、ステップＳＡ５７に進み、フォーカス位置を移動させる。そして、所望のタイトルがフォーカスされた状態でスタートスイッチをオン操作すると、ステップＳＡ５８の判断結果が「ＹＥＳ」になり、ステップＳＡ６０に進む。
【００４６】
ステップＳＡ６０では、指定したタイトルの録画データの再生をＴＶ制御部２０２に指示する。これにより、ＴＶ制御部２０２は再生指示されたタイトルの録画データを録画メモリ２０３から読み出して端末制御部１０２に送出する。そして、ステップＳＡ６１に進むと、端末制御部１０２はＴＶ制御部２０２より送出される再生データ（映像・音声データ）を受領して表示部１０４にて映像表示すると共に、スピーカ１０７から音声再生させる。
続いて、ステップＳＡ６２では、停止スイッチのオン操作の有無を判断する。停止スイッチがオン操作されるまで、ここでの判断結果は「ＮＯ」となり、ステップＳＡ６０〜ＳＡ６２を繰り返し、指定したタイトルの録画番組の再生を継続させる。そして、停止スイッチがオン操作されると、ステップＳＡ６２の判断結果が「ＹＥＳ」になり、前述のステップＳＡ２（図２参照）に処理を戻して待受画面表示状態に復帰する。
【００４７】
（２）ＴＶ制御処理の動作  
次に、図１１を参照してＴＶ制御部２０２が実行するＴＶ制御処理の動作を説明する。端末装置１０がパワーオンされると、ＴＶ制御部２０２は図１１に示すステップＳＢ１に処理を進め、ＴＶスイッチがオフ設定されているか否かを判断する。ＴＶスイッチがオン設定されていると、判断結果は「ＹＥＳ」になり、ステップＳＢ２に進む。ステップＳＢ２では、端末制御部１０２から送出されるチャンネル番号ＣＨに従って選局受信するようＴＶ受信部２０１を制御し、これによりＴＶ受信部２０１が受信出力する映像・音声データを端末制御部１０２に送出する。
一方、ＴＶスイッチがオフ設定されていれば、上記ステップＳＢ１の判断結果が「ＹＥＳ」になり、ステップＳＢ３に進み、チャンネル番号ＣＨを変更する。次いで、ステップＳＢ４では、変更したチャンネル番号ＣＨの放送局を選局受信するようＴＶ受信部２０１を制御し、これにてＴＶ受信部２０１が受信する文字データ放送から文字データを取得する。
【００４８】
続いて、ステップＳＢ５では、情報収集を指示するデータとして扱われる録画用データの有無を判断する。録画用データとは、前述したメインルーチンのステップＳＡ４３（図５参照）にてＲＡＭ１０６の個人データエリアに登録され、「スケジュール入力月日」および「キーワード」から構成される。
後述するタイマインタラプト処理（図１２参照）では、「スケジュール入力月日」が現在の月日を過ぎた場合に、録画用データを含む収録属性の録画データを録画メモリ２０３から消去するようにしている。したがって、このステップＳＢ５では、情報収集が指示されているかどうかを判断している。
【００４９】
録画用データが無く、情報収集が指示されていない場合には、ここでの判断結果は「ＮＯ」になり、ステップＳＢ３に処理を戻す。一方、録画用データが有り、情報収集が指示されている場合には、判断結果が「ＹＥＳ」になり、ステップＳＢ６に進む。ステップＳＢ６では、上記ステップＳＢ４にて取得した文字データ中に、録画用データの「キーワード」が含まれているかどうかを判断する。文字データ放送から取得した文字データ中に「キーワード」が含まれていなければ、判断結果は「ＮＯ」になり、ステップＳＢ３に処理を戻すが、含まれていると、判断結果が「ＹＥＳ」になり、ステップＳＢ７に進む。ステップＳＢ７では、録画可能か否か、すなわち録画メモリ２０３に所定の容量以上の空き領域があるかどうかを判断する。所定の容量以上の空き領域が無ければ、録画不可となり、判断結果は「ＮＯ」になり、ステップＳＢ３に処理を戻すが、録画可能であると、判断結果は「ＹＥＳ」になり、ステップＳＢ８に進む。
【００５０】
ステップＳＢ８では、「キーワード」を含む文字データ放送を受信したチャンネルで放映される番組の映像・音声データを録画メモリ２０３にストアする。続いて、ステップＳＢ９では、番組が終了したか否かを判断する。番組終了は、文字データ放送に番組終了コードが含まれているか否かで判断する。番組が終了していなければ、判断結果は「ＮＯ」になり、上述のステップＳＢ６に処理を戻す。以後、録画可能状態が維持される限り、番組終了するまで「キーワード」を含む文字データ放送を受信したチャンネルにおいて放映される番組の映像・音声データを録画する。
【００５１】
そして、番組が終了すると、ステップＳＢ９の判断結果が「ＹＥＳ」になり、ステップＳＢ１０に進む。ステップＳＢ１０では、録画を終了させると共に、録画メモリ２０３に格納した録画データ（映像・音声データ）のファイルに収録属性を付加した後、上述のステップＳＢ３に処理を戻す。なお、ここで言う収録属性とは、受信した文字データ放送から抽出した「タイトル（番組名）」・「チャンネル」、「キーワード」・「スケジュール入力月日」からなる録画用データおよび「収録日時」から構成される。
【００５２】
以後、上述したステップＳＢ３〜ＳＢ１０を繰り返すことによって、受信チャンネルを巡回して「キーワード」が含まれる文字データ放送を検索し、「キーワード」を含む文字データ放送を受信した場合に、その文字データ放送を受信したチャンネルで放映される番組を録画するので、ユーザ所望の情報を自動的に収集することが可能になる訳である。
【００５３】
（３）タイマインタラプト処理の動作  
次に、図１２を参照してＴＶ制御部２０２が実行するタイマインタラプト処理の動作を説明する。端末装置１０がパワーオンされると、ＴＶ制御部２０２では一定期間毎に本処理を割込み実行し、図１２に示すステップＳＣ１に進み、端末制御部１０２側が管理する現在月日を取得する。続いて、ステップＳＣ２では、録画メモリ２０３に格納される各録画データの収録属性を読み出す。次いで、ステップＳＣ３では、読み出した収録属性に含まれる「スケジュール入力月日」が、現在月日を過ぎているか否かを判断する。現在月日を過ぎた「スケジュール入力月日」を含む収録属性であると、判断結果が「ＹＥＳ」になり、その収録属性の録画データを録画メモリ２０３から消去する。つまり、ユーザ指定の月日を過ぎた録画データについては自動的に消去するようになっている。一方、収録属性に含まれる「スケジュール入力月日」が、現在月日を過ぎていなければ、判断結果は「ＮＯ」になり、ステップＳＣ５に進む。
【００５４】
ステップＳＣ５では、全ての録画データについて、収録属性に含まれる「スケジュール入力月日」が現在月日を過ぎているか否かを検査し終えたかどうかを判断する。検査し終えていなければ、判断結果は「ＮＯ」になり、上記ステップＳＣ２に処理を戻し、全ての録画データについて検査し終えるまでステップＳＣ２〜ＳＣ５を繰り返す。そして、全ての録画データについて、収録属性に含まれる「スケジュール入力月日」が現在月日を過ぎているか否かを検査し終えると、ステップＳＣ５の判断結果が「ＹＥＳ」になり、本処理を完了させる。
【００５５】
以上説明したように、本実施の一形態では、ある期日に行う行動をスケジュール登録すると共に、その行動を表す語句をキーワードに設定すると、受信チャンネルを巡回してキーワードが含まれる文字データ放送を検索し、キーワードを含む文字データ放送を受信した場合に、その文字データ放送を受信したチャンネルで放映される番組の映像・音声データを録画する動作を、スケジュール登録した期日まで行う。そして、例えばスケジュール登録した期日に録画した番組を再生することによって、ユーザ所望の情報を自動的に収集してユーザが必要とする時期に提供することが可能になる。
【００５６】
なお、上述した実施の形態では、旅行に関する番組を収集する一例について言及したが、本発明の要旨はこれに限定されず、例えば好きなアーティストの名前をキーワードに設定し、そのアーティストが出演する番組などをスケジュール登録した期日までに自動的に収集させたりすることも勿論可能である。
【００５７】
さらに、本実施形態では、通常のテレビ番組と文字データ放送とが多重化されるデジタルテレビジョン放送を受信するものを想定しているが、これに限らず、ラジオ番組と文字データ放送とが多重化されるデジタルラジオ放送を受信する態様に適用可能であることは言うまでもない。
【００５８】
加えて、上述した実施形態では、端末装置自らが収集したユーザ所望の情報を、ユーザの再生指示に従って再生するものとしたが、これに替えて、端末装置自らが収集したユーザ所望の情報を、ユーザ指定の期日に自動的に再生する態様としても良い。このようにすれば、端末装置自らが収集したユーザ所望の情報の再生し忘れを防止することができる。
【図面の簡単な説明】
【００５９】
【図１】実施の一形態による端末装置１０の構成を示すブロック図である。
【図２】端末制御部１０２が実行するメインルーチンの動作を示すフローチャートである。
【図３】端末制御部１０２が実行するメインルーチンの動作を示すフローチャートである。
【図４】端末制御部１０２が実行するメインルーチンの動作を示すフローチャートである。
【図５】端末制御部１０２が実行するメインルーチンの動作を示すフローチャートである。
【図６】端末制御部１０２が実行するメインルーチンの動作を示すフローチャートである。
【図７】端末制御部１０２が実行するメインルーチンの動作を示すフローチャートである。
【図８】カレンダ画面ＣＧの一例を示す図である。
【図９】編集画面ＥＧの一例を示す図である。
【図１０】編集画面ＥＧにおいて行われるスケジュールデータ入力およびキーワード設定の動作を説明するための図である。
【図１１】ＴＶ制御部２０２が実行するＴＶ制御処理の動作を示すフローチャートである。
【図１２】ＴＶ制御部２０２が実行するタイマインタラプト処理の動作を示すフローチャートである。
【符号の説明】
【００６０】
１０  端末装置
１０１  無線通信部
１０２  端末制御部
１０３  操作部
１０４  表示部
１０５  ＲＯＭ
１０６  ＲＡＭ
１０７  スピーカ
１０８  マイク
２０１  ＴＶ受信部
２０２  ＴＶ制御部
２０３  録画メモリ
【図１】
2006033574.tif 000003
【図２】
2006033574.tif 000004
【図３】
2006033574.tif 000005
【図４】
2006033574.tif 000006
【図５】
2006033574.tif 000007
【図６】
2006033574.tif 000008
【図７】
2006033574.tif 000009
【図８】
2006033574.tif 000010
【図９】
2006033574.tif 000011
【図１０】
2006033574.tif 000012
【図１１】
2006033574.tif 000013
【図１２】
2006033574.tif 000014